(57)【要約】【課題】番組が放送されているチャンネルが少ない場合にも効率的に選局する。【解決手段】デジタル放送受信機のＭＰＵ１１は、リモコン２を介して受け付けられた表示チャンネルに対応するテレビジョン放送において、放送中の番組が有るか否かを電子番組表情報に基づいて判定する番組有無判定部１１４と、放送中の番組が無いと判定された場合に、ジャンル記憶部１２２に格納されたジャンル情報と同一のジャンル情報を有し、且つ、放送中の番組である第１選択候補番組が有るか否かを、電子番組表情報に基づいて判定する候補判定部１１６と、第１選択候補番組が有ると判定された場合に、第１選択候補番組に対応するチャンネル番号情報を電子番組表情報から取得する候補番組取得部１１７と、取得されたチャンネル番号情報をディスプレイ１７３に表示する表示制御部１１９と、を備えている。【選択図】図３
2009044555.tif 000002
【特許請求の範囲】
【請求項１】
デジタル方式のテレビジョン放送を受信し、受信した映像情報をモニタに表示可能に接続されたデジタル放送受信装置であって、
予め設定された１のチャンネルのテレビジョン放送を受信する受信手段と、
前記受信手段を介して電子番組表情報を取得する番組表取得手段と、
前記番組表取得手段によって取得された電子番組表情報を格納する番組表記憶手段と、
外部からの操作入力を受け付け、受け付けられた操作入力に基づいて、１のチャンネルを、映像情報をモニタに表示するチャンネルである表示チャンネルとして受け付ける第１受付手段と、
前記第１受付手段によって受け付けられた表示チャンネルに対応するテレビジョン放送において、放送中の番組が有るか否かを、前記番組表記憶手段に格納された電子番組表情報に基づいて判定する番組有無判定手段と、
予めジャンル情報を格納するジャンル記憶手段と、
前記番組有無判定手段によって放送中の番組が無いと判定された場合に、前記ジャンル記憶手段に格納されたジャンル情報と同一のジャンル情報を有し、且つ、放送中の番組である第１選択候補番組が有るか否かを、前記番組表記憶手段に格納された電子番組表情報に基づいて判定する候補判定手段と、
前記候補判定手段によって第１選択候補番組が有ると判定された場合に、前記第１選択候補番組に対応するチャンネル番号情報を前記番組表記憶手段に格納された電子番組表情報から取得する候補番組取得手段と、
前記候補番組取得手段によって取得された第１選択候補番組のチャンネル番号情報を前記モニタに表示する表示制御手段と、
を備えることを特徴とするデジタル放送受信装置。
【請求項２】
予め人物の氏名情報、及び、団体の名称情報の少なくとも一方を含む固有名詞情報を格納する固有名詞記憶手段を備え、
前記候補判定手段は、前記番組有無判定手段によって放送中の番組が無いと判定された場合に、前記固有名詞記憶手段に格納された固有名詞情報と同一の固有名詞情報を番組情報として含み、且つ、放送中の番組である第２選択候補番組が有るか否かを、前記番組表記憶手段に格納された電子番組表情報に基づいて判定し、
前記候補番組取得手段は、前記候補判定手段によって第２選択候補番組が有ると判定された場合に、前記第２選択候補番組に対応するチャンネル番号情報を前記番組表記憶手段に格納された電子番組表情報から取得し、
前記表示制御手段は、前記候補番組取得手段によって取得された第２選択候補番組のチャンネル番号情報を前記モニタに表示することを特徴とする請求項１に記載のデジタル放送受信装置。
【請求項３】
前記候補番組取得手段は、前記候補判定手段によって第１選択候補番組が有ると判定された場合に、前記第１選択候補番組に対応する番組名称情報を前記番組表記憶手段に格納された電子番組表情報から取得すると共に、前記候補判定手段によって第２選択候補番組が有ると判定された場合に、前記第２選択候補番組に対応する番組名称情報を前記番組表記憶手段に格納された電子番組表情報から取得し、
前記表示制御手段は、前記候補番組取得手段によって取得された第１選択候補番組及び第２選択候補番組の番組名称情報を、前記チャンネル番号情報と対応付けて前記モニタに表示することを特徴とする請求項２に記載のデジタル放送受信装置。
【請求項４】
外部からの操作入力を受け付け、受け付けられた操作入力に基づいて、前記ジャンル情報及び固有名詞情報の少なくとも一方を生成し、生成されたジャンル情報及び固有名詞情報をそれぞれ前記ジャンル記憶手段及び固有名詞記憶手段に記録する登録手段を備えることを特徴とする請求項２又は請求項３に記載のデジタル放送受信装置。
【請求項５】
前記番組有無判定手段によって放送中の番組が有ると判定された場合に、前記受信手段を介して、前記第１受付手段によって受け付けられた表示チャンネルに対応するテレビジョン放送を受信し、受信した映像情報を前記モニタに表示するチャンネル変更手段を備え、
前記チャンネル変更手段は、前記番組有無判定手段によって放送中の番組が無いと判定された場合に、前記受信手段を介して受信するテレビジョン放送を変更しないことを特徴とする請求項１〜請求項４のいずれかに記載のデジタル放送受信装置。
【請求項６】
前記候補判定手段によって第１選択候補番組及び第２選択候補番組の少なくとも一方が有ると判定された場合に、外部からの操作入力を受け付け、受け付けられた操作入力に基づいて、前記第１選択候補番組及び第２選択候補番組の中から１のチャンネルを前記表示チャンネルとして受け付ける第２受付手段を備え、
前記チャンネル変更手段は、前記第２受付手段によって受け付けられた表示チャンネルに対応するテレビジョン放送を受信し、受信した映像情報を前記モニタに表示することを特徴とする請求項５に記載のデジタル放送受信装置。
【発明の詳細な説明】
【技術分野】
【０００１】
本発明は、デジタル方式のテレビジョン放送を受信し、受信した映像情報をモニタに表示可能に接続されたデジタル放送受信装置に関する。
【背景技術】
【０００２】
テレビジョン放送を受信し、外部から視認可能にモニタに出力可能に構成された放送受信装置では、デジタル放送の普及に伴って、視聴可能なチャンネル数が飛躍的に増加し、ユーザが視聴を所望するチャンネルを選択するために要する手間が増大している。
【０００３】
この課題を解消するために、種々の装置、方法等が提案されている。例えば、ユーザがチャンネルを選局すると、選局チャンネルにおける同時刻の前回の番組の画像を検索し、その画像をデータベースから取り出して画面に表示させる放送受信装置が開示されている（特許文献１参照）。
【特許文献１】特開２００３−３７７９０号公報
【発明の開示】
【発明が解決しようとする課題】
【０００４】
しかしながら、上記放送受信装置等の従来の放送受信装置では、深夜、早朝等の番組が放送されているチャンネルが少ない（＝番組を放送している放送局が少ない）場合には、ユーザが視聴を所望するチャンネルを選局することが困難な場合があった。例えば、受信可能なチャンネルが１００個あって、番組が放送されているチャンネルが３個しかない場合には、ユーザが試行錯誤して視聴を所望するチャンネルを選局することは極めて困難である。また、このような場合には、電子番組表をモニタに表示して番組が放送されているチャンネルを探すことも容易ではない。
【０００５】
本発明は、上記課題に鑑みてなされたものであって、番組が放送されているチャンネルが少ない場合にも効率的に選局することの可能なデジタル放送受信装置を提供することを目的としている。
【課題を解決するための手段】
【０００６】
上記目的を達成するために請求項１に記載のデジタル放送受信装置は、デジタル方式のテレビジョン放送を受信し、受信した映像情報をモニタに表示可能に接続されたデジタル放送受信装置であって、予め設定された１のチャンネルのテレビジョン放送を受信する受信手段と、前記受信手段を介して電子番組表情報を取得する番組表取得手段と、前記番組表取得手段によって取得された電子番組表情報を格納する番組表記憶手段と、外部からの操作入力を受け付け、受け付けられた操作入力に基づいて、１のチャンネルを、映像情報をモニタに表示するチャンネルである表示チャンネルとして受け付ける第１受付手段と、前記第１受付手段によって受け付けられた表示チャンネルに対応するテレビジョン放送において、放送中の番組が有るか否かを、前記番組表記憶手段に格納された電子番組表情報に基づいて判定する番組有無判定手段と、予めジャンル情報を格納するジャンル記憶手段と、前記番組有無判定手段によって放送中の番組が無いと判定された場合に、前記ジャンル記憶手段に格納されたジャンル情報と同一のジャンル情報を有し、且つ、放送中の番組である第１選択候補番組が有るか否かを、前記番組表記憶手段に格納された電子番組表情報に基づいて判定する候補判定手段と、前記候補判定手段によって第１選択候補番組が有ると判定された場合に、前記第１選択候補番組に対応するチャンネル番号情報を前記番組表記憶手段に格納された電子番組表情報から取得する候補番組取得手段と、前記候補番組取得手段によって取得された第１選択候補番組のチャンネル番号情報を前記モニタに表示する表示制御手段と、を備えることを特徴としている。
【０００７】
請求項２に記載のデジタル放送受信装置は、請求項１に記載のデジタル放送受信装置であって、予め人物の氏名情報、及び、団体の名称情報の少なくとも一方を含む固有名詞情報を格納する固有名詞記憶手段を備え、前記候補判定手段が、前記番組有無判定手段によって放送中の番組が無いと判定された場合に、前記固有名詞記憶手段に格納された固有名詞情報と同一の固有名詞情報を番組情報として含み、且つ、放送中の番組である第２選択候補番組が有るか否かを、前記番組表記憶手段に格納された電子番組表情報に基づいて判定し、前記候補番組取得手段が、前記候補判定手段によって第２選択候補番組が有ると判定された場合に、前記第２選択候補番組に対応するチャンネル番号情報を前記番組表記憶手段に格納された電子番組表情報から取得し、前記表示制御手段が、前記候補番組取得手段によって取得された第２選択候補番組のチャンネル番号情報を前記モニタに表示する特徴としている。
【０００８】
請求項３に記載のデジタル放送受信装置は、請求項２に記載のデジタル放送受信装置であって、前記候補番組取得手段が、前記候補判定手段によって第１選択候補番組が有ると判定された場合に、前記第１選択候補番組に対応する番組名称情報を前記番組表記憶手段に格納された電子番組表情報から取得すると共に、前記候補判定手段によって第２選択候補番組が有ると判定された場合に、前記第２選択候補番組に対応する番組名称情報を前記番組表記憶手段に格納された電子番組表情報から取得し、前記表示制御手段が、前記候補番組取得手段によって取得された第１選択候補番組及び第２選択候補番組の番組名称情報を、前記チャンネル番号情報と対応付けて前記モニタに表示することを特徴としている。
【０００９】
請求項４に記載のデジタル放送受信装置は、請求項２又は請求項３に記載のデジタル放送受信装置であって、外部からの操作入力を受け付け、受け付けられた操作入力に基づいて、前記ジャンル情報及び固有名詞情報の少なくとも一方を生成し、生成されたジャンル情報及び固有名詞情報をそれぞれ前記ジャンル記憶手段及び固有名詞記憶手段に記録する登録手段を備えることを特徴としている。
【００１０】
請求項５に記載のデジタル放送受信装置は、請求項１〜請求項４のいずれかに記載のデジタル放送受信装置であって、前記番組有無判定手段によって放送中の番組が有ると判定された場合に、前記受信手段を介して、前記第１受付手段によって受け付けられた表示チャンネルに対応するテレビジョン放送を受信し、受信した映像情報を前記モニタに表示するチャンネル変更手段を備え、前記チャンネル変更手段が、前記番組有無判定手段によって放送中の番組が無いと判定された場合に、前記受信手段を介して受信するテレビジョン放送を変更しないことを特徴としている。
【００１１】
請求項６に記載のデジタル放送受信装置は、請求項５に記載のデジタル放送受信装置であって、前記候補判定手段によって第１選択候補番組及び第２選択候補番組の少なくとも一方が有ると判定された場合に、外部からの操作入力を受け付け、受け付けられた操作入力に基づいて、前記第１選択候補番組及び第２選択候補番組の中から１のチャンネルを前記表示チャンネルとして受け付ける第２受付手段を備え、前記チャンネル変更手段が、前記第２受付手段によって受け付けられた表示チャンネルに対応するテレビジョン放送を受信し、受信した映像情報を前記モニタに表示することを特徴としている。
【発明の効果】
【００１２】
請求項１に記載のデジタル放送受信装置によれば、受信手段によって、予め設定された１のチャンネルのテレビジョン放送が受信され、受信手段を介して電子番組表情報が取得され、取得された電子番組表情報が番組表記憶手段に格納される。また、外部からの操作入力を受け付けられ、受け付けられた操作入力に基づいて、１のチャンネルが、映像情報をモニタに表示するチャンネルである表示チャンネルとして受け付けられる。そして、受け付けられた表示チャンネルに対応するテレビジョン放送において、放送中の番組が有るか否かが、番組表記憶手段に格納された電子番組表情報に基づいて判定される。
【００１３】
更に、ジャンル記憶手段に予めジャンル情報が格納されており、放送中の番組が無いと判定された場合に、ジャンル記憶手段に格納されたジャンル情報と同一のジャンル情報を有し、且つ、放送中の番組である第１選択候補番組が有るか否かが、番組表記憶手段に格納された電子番組表情報に基づいて判定され、第１選択候補番組が有ると判定された場合に、第１選択候補番組に対応するチャンネル番号情報が番組表記憶手段に格納された電子番組表情報から取得され、取得された第１選択候補番組のチャンネル番号情報がモニタに表示されるため、番組が放送されているチャンネルが少ない場合にも効率的に選局することができる。
【００１４】
すなわち、外部から受け付けられた操作入力に基づいて受け付けられたモニタに表示するチャンネルである表示チャンネルに対応するテレビジョン放送において、放送中の番組が無いと判定された場合に、ジャンル記憶手段に格納されたジャンル情報と同一のジャンル情報を有し、且つ、放送中の番組である第１選択候補番組が有るか否かが判定され、第１選択候補番組が有ると判定された場合に、第１選択候補番組に対応するチャンネル番号情報がモニタに表示されるため、予めユーザが視聴を所望するジャンル情報を設定することによって、視聴を所望するジャンル情報と同一のジャンル情報を有し、且つ、放送中の番組である第１選択候補番組に対応するチャンネル番号情報をモニタに表示させることができるので、番組が放送されているチャンネルが少ない場合にも効率的に選局することができるのである。
【００１５】
請求項２に記載のデジタル放送受信装置によれば、予め人物の氏名情報、及び、団体の名称情報の少なくとも一方を含む固有名詞情報が固有名詞記憶手段に格納されており、放送中の番組が無いと判定された場合に、固有名詞記憶手段に格納された固有名詞情報と同一の固有名詞情報を番組情報として含み、且つ、放送中の番組である第２選択候補番組が有るか否かが、番組表記憶手段に格納された電子番組表情報に基づいて判定される。そして、第２選択候補番組が有ると判定された場合に、第２選択候補番組に対応するチャンネル番号情報が番組表記憶手段に格納された電子番組表情報から取得され、取得された第２選択候補番組のチャンネル番号情報がモニタに表示されるため、番組が放送されているチャンネルが少ない場合にも更に効率的に選局することができる。
【００１６】
すなわち、外部から受け付けられた操作入力に基づいて受け付けられたモニタに表示するチャンネルである表示チャンネルに対応するテレビジョン放送において、放送中の番組が無いと判定された場合に、固有名詞記憶手段に格納された固有名詞情報と同一の固有名詞情報を番組情報として含み、且つ、放送中の番組である第２選択候補番組が有るか否かが判定され、第２選択候補番組が有ると判定された場合に、第２選択候補番組に対応するチャンネル番号情報がモニタに表示されるため、予めユーザが視聴を所望する番組に係る固有名詞情報（＝人物の氏名情報、団体の名称情報等）を設定することによって、視聴を所望する番組に係る固有名詞情報と同一の固有名詞情報を番組情報として含み、且つ、放送中の番組である第２選択候補番組に対応するチャンネル番号情報をモニタに表示させることができるので、番組が放送されているチャンネルが少ない場合にも更に効率的に選局することができるのである。
【００１７】
請求項３に記載のデジタル放送受信装置によれば、第１選択候補番組が有ると判定された場合に、第１選択候補番組に対応する番組名称情報が番組表記憶手段に格納された電子番組表情報から取得されると共に、第２選択候補番組が有ると判定された場合に、第２選択候補番組に対応する番組名称情報が番組表記憶手段に格納された電子番組表情報から取得され、取得された第１選択候補番組及び第２選択候補番組の番組名称情報が、チャンネル番号情報と対応付けてモニタに表示されるため、ユーザは、第１選択候補番組及び第２選択候補番組の内容を番組名称情報から判断することができるので、番組が放送されているチャンネルが少ない場合にも更に効率的に選局することができる。
【００１８】
請求項４に記載のデジタル放送受信装置によれば、外部からの操作入力が受け付けられ、受け付けられた操作入力に基づいて、ジャンル情報及び固有名詞情報の少なくとも一方が生成され、生成されたジャンル情報及び固有名詞情報がそれぞれジャンル記憶手段及び固有名詞記憶手段に記録されるため、ユーザは、視聴を所望する番組のジャンル情報及び視聴を所望する番組に係る固有名詞情報の少なくとも一方を設定することができるので、番組が放送されているチャンネルが少ない場合にも更に効率的に選局することができる。
【００１９】
請求項５に記載のデジタル放送受信装置によれば、放送中の番組が有ると判定された場合に、受信手段を介して表示チャンネルに対応するテレビジョン放送が受信され、受信され映像情報がモニタに表示される。一方、放送中の番組が無いと判定された場合には、受信手段を介して受信するテレビジョン放送が変更されないため、放送中の番組が無いチャンネルに切り換えることに伴う不要な処理を省略することができるので、番組が放送されているチャンネルが少ない場合にも更に効率的に選局することができる。
【００２０】
請求項６に記載のデジタル放送受信装置によれば、第１選択候補番組及び第２選択候補番組の少なくとも一方が有ると判定された場合に、外部からの操作入力が受け付けられ、受け付けられた操作入力に基づいて、第１選択候補番組及び第２選択候補番組の中から１のチャンネルが表示チャンネルとして受け付けられる。そして、受け付けられた表示チャンネルに対応するテレビジョン放送が受信され、受信した映像情報がモニタに表示されるため、番組が放送されているチャンネルが少ない場合にも更に効率的に選局することができる。
【００２１】
すなわち、外部からの操作入力が受け付けられ、受け付けられた操作入力に基づいて、第１選択候補番組及び第２選択候補番組の中から１のチャンネルが表示チャンネルとして受け付けられ、受け付けられた表示チャンネルに対応するテレビジョン放送が受信され、受信した映像情報がモニタに表示されるため、ユーザが視聴を所望する番組を、第１選択候補番組及び第２選択候補番組の中から選択することができるので、番組が放送されているチャンネルが少ない場合にも更に効率的に選局することができるのである。
【発明を実施するための最良の形態】
【００２２】
以下に本発明の実施形態を、図面を参照しながら説明する。図１は、本発明に係るデジタル放送受信機１の構成の一例を示すブロック図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２３】
デジタル放送受信機１は、リモコン２を介してユーザからの操作入力を受け付けて、テレビジョン放送を受信し、ディスプレイ１７３及びスピーカ１５３に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、及び、赤外線通信部１８を備えている。
【００２４】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２５】
受信部１４は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００２６】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００２７】
音声出力部１５は、受信部１４によって受信されたテレビジョン放送に対応する音声を出力するものであって、Ｄ／Ａ変換部１５１、音声信号出力部１５２、及び、スピーカ１５３を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。スピーカ１５３は、音声信号出力部１５２から出力された音声信号に対応する音声を出力するものである。
【００２８】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００２９】
画像出力部１７は、ＭＰＥＧ２デコード部１６によって復号化された映像情報を出力するものであって、ＮＴＳＣエンコード部１７１、映像信号出力部１７２、及び、ディスプレイ１７３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１７１は、ＭＰＥＧ２デコード部１６によって復号化された映像情報をＮＴＳＣ方式のテレビジョン信号に変換するものである。映像信号出力部１７２は、ＮＴＳＣエンコード部１７１から出力されたＮＴＳＣ方式のテレビジョン信号をディスプレイ１７３に対して出力するものである。ディスプレイ１７３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００３０】
赤外線通信部１８は、リモコン２からの電源のＯＮ、ＯＦＦ操作、選局、デジタル放送受信機１の各種設定等の各種操作を受け付けるものである。
【００３１】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００３２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５３から音声が出力される。
【００３３】
また、ＲＡＭ１２から読み出された映像情報がＭＰＥＧ２デコード部１６によって圧縮前の映像情報に復号化され、ＮＴＳＣエンコード部１７１によってＮＴＳＣ方式のテレビジョン信号に変換されて、映像信号出力部１７２を介してディスプレイ１７３に映像が表示される。
【００３４】
図２は、リモコン２の一例を示す正面図である。リモコン２（登録手段の一部、第１受付手段の一部、第２受付手段の一部、及び、表示制御手段の一部に相当する）は、ユーザからの操作入力を受け付けて、操作入力に対応する赤外線信号を生成して、デジタル放送受信機１に対して出力するものであって、赤外線信号出力部２１、チャンネル設定キー２２、方向キー２３、決定キー２４、及び、チャンネル変更キー２５を備えている。赤外線信号出力部２１は、ユーザによって押下されたキーに対応する操作信号を生成し、赤外線信号に変換してデジタル放送受信機１（赤外線通信部１８）に対して送信するものである。
【００３５】
チャンネル設定キー２２は、１チャンネル〜１２チャンネルにそれぞれ対応する１２個のキーからなり、ユーザが視聴を所望するチャンネル番号を設定する場合に押下されるキーである。方向キー２３は、ディスプレイ１７３に表示された複数の選択肢の中から１の選択肢を選択する場合等に押下されるキーであって、上方向キー、下方向キー、左方向キー、及び、右方向キーの４個のキーから構成されている。決定キー２４は、方向キー２３によって選択された選択肢に決定する場合等に押下されるキーである。
【００３６】
チャンネル変更キー２５は、チャンネルアップキー及びチャンネルダウンキーからなり、図１に示すＲＡＭ１２等に予め格納され、受信可能なチャンネル番号情報を番号順に格納するチャンネルテーブルから１のチャンネル番号情報を読み出し、チャンネルを設定する場合に押下されるキーである。チャンネルアップキーは、チャンネルテーブルにおいて、選択中のチャンネル番号の１つ前に格納されているチャンネル番号を設定する場合に押下されるキーであり、チャンネルダウンキーは、選択中のチャンネル番号の１つ後に格納されているチャンネル番号を設定する場合に押下されるキーである。
【００３７】
図３は、本発明に係るデジタル放送受信機１における主要部の構成の一例を示すブロック図である。ＭＰＵ１１は、機能的に、番組表取得部１１１、登録部１１２、第１受付部１１３、番組有無判定部１１４、チャンネル変更部１１５、候補判定部１１６、候補番組取得部１１７、第２受付部１１８、及び、表示制御部１１９を備え、ＲＡＭ１２は、機能的に、番組表記憶部１２１、ジャンル記憶部１２２、及び、固有名詞記憶部１２３を備えている。
【００３８】
ここでは、ＭＰＵ１１が、図１に示すＲＯＭ１３等に予め格納された制御プログラムを読み出して実行することにより、番組表取得部１１１、登録部１１２、第１受付部１１３、番組有無判定部１１４、チャンネル変更部１１５、候補判定部１１６、候補番組取得部１１７、第２受付部１１８、表示制御部１１９等の機能部として機能すると共に、ＲＡＭ１２を、番組表記憶部１２１、ジャンル記憶部１２２、固有名詞記憶部１２３等の機能部として機能させるものである。
【００３９】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４０】
番組表記憶部１２１（番組表記憶手段に相当する）は、番組表取得部１１１によって取得された電子番組表情報（＝ＥＰＧ（Ｅｌｅｃｔｒｏｎｉｃ  Ｐｒｏｇｒａｍ  Ｇｕｉｄｅ）情報）を格納するものである。なお、電子番組表情報には、番組毎に、番組のジャンルを示すジャンル情報、番組のタイトルを示す番組名称情報、及び、番組に登場する人物の氏名情報（又は団体の名称情報）が含まれている。番組表記憶部１２１に格納された電子番組表情報は、番組有無判定部１１４、候補判定部１１６及び候補番組取得部１１７によって読み出されるものである。
【００４１】
ジャンル記憶部１２２（ジャンル記憶手段に相当する）は、登録部１１２によって生成されたジャンル情報を格納するものである。ジャンル記憶部１２２に格納されたジャンル情報は、候補判定部１１６によって読み出されるものである。
【００４２】
固有名詞記憶部１２３（固有名詞記憶手段に相当する）は、登録部１１２によって生成された、番組に登場する人物の氏名情報（又は団体の名称情報）を含む固有名詞情報を格納するものである。固有名詞記憶部１２３に格納された固有名詞情報は、候補判定部１１６によって読み出されるものである。
【００４３】
番組表取得部１１１（番組表取得手段に相当する）は、予め設定された所定期間（例えば、１０分）毎に受信部１４を介して電子番組表情報を取得し、取得した電子番組表情報を番組表記憶部１２１に記録する（＝書き込む）ものである。
【００４４】
登録部１１２（登録手段の一部に相当する）は、リモコン２を介してユーザからの操作入力を受け付け、受け付けられた操作入力に基づいて、ジャンル情報及び固有名詞情報を生成し、生成されたジャンル情報及び固有名詞情報をそれぞれジャンル記憶部１２２及び固有名詞記憶部１２３に記録する（＝書き込む）ものである。
【００４５】
図４（ａ）は、ジャンル情報を生成し、ジャンル記憶部１２２に記録する場合に、登録部１１２によってディスプレイ１７３に表示されるジャンル登録画面の一例を示す画面図である。ジャンル登録画面４００には、画面略中央部に、文字選択部４０１が表示され、文字選択部４０１の上側に、入力情報表示部４０２が表示され、文字選択部４０１の下側に、選択マーク４０３が表示されている。また、画面下部に、選択ボタン４０４、変換ボタン４０５、登録ボタン４０６、及び、キャンセルボタン４０７が表示されている。
【００４６】
文字選択部４０１は、入力する文字情報を選択可能に表示するものであって、選択マーク４０３は、選択されている文字情報を示すマークである。ここでは、文字選択部４０１に表示された文字の内、「Ｕ」の下側に選択マーク４０３が表示され、入力する文字情報として「Ｕ」が選択されている。入力情報表示部４０２は、入力された文字情報を表示するものである。
【００４７】
選択ボタン４０４は、選択マーク４０３によって選択されている文字を入力する場合に押下されるボタンであって、変換ボタン４０５は、入力情報表示部４０２に表示された変換前の文字（＝アルファベット）を漢字に変換する場合に押下されるボタンである。登録ボタン４０６は、入力情報表示部４０２に表示されている情報を登録する（＝ジャンル記憶部１２２に記録する）場合に押下されるボタンであって、キャンセルボタン４０７は、入力情報表示部４０２に表示されている情報をキャンセルする場合に押下されるボタンである。
【００４８】
なお、固有名詞情報を生成し、固有名詞記憶部１２３に記録する場合にも、登録部１１２によって、図４（ａ）に示すジャンル登録画面４００と同様の画面（固有名詞登録画面）がディスプレイ１７３に表示され、ユーザは、固有名詞登録画面を介して、固有名詞情報を生成し、固有名詞記憶部１２３に記録することができる。
【００４９】
再び、図３に戻って、ＭＰＵ１１の機能構成について説明する。第１受付部１１３（第１受付手段の一部に相当する）は、リモコン２（図２に示すチャンネル設定キー２２又はチャンネル変更キー２５）を介してユーザからの操作入力を受け付け、受け付けられた操作入力に基づいて、１のチャンネルを、映像情報をディスプレイ１７３に表示するチャンネルである表示チャンネルとして受け付けるものである。
【００５０】
番組有無判定部１１４（番組有無判定手段に相当する）は、第１受付部１１３によって受け付けられた表示チャンネルに対応するテレビジョン放送において、放送中の番組が有るか否かを、番組表記憶部１２１に格納された電子番組表情報に基づいて判定するものである。
【００５１】
図５は、番組表記憶部１２１に格納された電子番組表情報の一例を示す図表である。図の左端欄は、チャンネル番号であって、図の上端欄は、時刻である。また、図の「Ａ１」、「Ｂ３」等は、番組名称を示し、「×」は、番組名称が格納されていない（＝放送予定の番組がない）ことを示している。番組有無判定部１１４は、表示チャンネルに対応するテレビジョン放送において、放送中の番組が有るか否かを、図に示す電子番組表情報において、表示チャンネルに対応するチャンネル番号の行の、第１受付部１１３によって表示チャンネルが受け付けられた日時に対応する欄に番組名称が格納されているか否かに基づいて判定するものである。
【００５２】
例えば、第１受付部１１３によって表示チャンネルが受け付けられた時刻が、「２時３０分」であって、第１受付部１１３によって受け付けられた表示チャンネルに対応するチャンネル番号が「２」である場合には、該当する欄（上から２行目の左から４列目）には番組名称が格納されていないため、番組有無判定部１１４によって、放送中の番組が無いと判定される。また、例えば、第１受付部１１３によって表示チャンネルが受け付けられた時刻が、「２時３０分」であって、第１受付部１１３によって受け付けられた表示チャンネルに対応するチャンネル番号が「４」である場合には、該当する欄（上から３行目の左から４列目）には番組名称（＝「Ｂ３」）が格納されているため、番組有無判定部１１４によって、放送中の番組が有ると判定される。
【００５３】
再び、図３に戻って、ＭＰＵ１１の機能構成について説明する。チャンネル変更部１１５（チャンネル変更手段に相当する）は、番組有無判定部１１４によって放送中の番組が有ると判定された場合に、受信部１４を介して、第１受付部１１３によって受け付けられた表示チャンネルに対応するテレビジョン放送を受信し、受信した映像情報をディスプレイ１７３に表示するものである。
【００５４】
また、チャンネル変更部１１５は、番組有無判定部１１４によって放送中の番組が無いと判定された場合に、受信部１４を介して受信するテレビジョン放送を変更しない（＝既に選択されているチャンネル番号を保持し、既に選択されているチャンネル番号に対応するテレビジョン放送を、受信部１４を介して受信し、受信した映像情報をディスプレイ１７３に表示する）ものである。
【００５５】
更に、チャンネル変更部１１５は、第２受付部１１８によって第１選択候補番組及び第２選択候補番組の中から１のチャンネルが表示チャンネルとして受け付けられた場合に、受信部１４を介して、第２受付部１１８によって受け付けられた表示チャンネルに対応するテレビジョン放送を受信し、受信した映像情報をディスプレイ１７３に表示するものである。
【００５６】
候補判定部１１６（候補判定手段に相当する）は、番組有無判定部１１４によって放送中の番組が無いと判定された場合に、ジャンル記憶部１２２に格納されたジャンル情報と同一のジャンル情報を有し、且つ、放送中の番組である第１選択候補番組が有るか否かを、番組表記憶部１２１に格納された電子番組表情報に基づいて判定するものである。
【００５７】
また、候補判定部１１６は、番組有無判定部１１４によって放送中の番組が無いと判定された場合に、固有名詞記憶部１２３に格納された固有名詞情報と同一の固有名詞情報を番組情報として含み、且つ、放送中の番組である第２選択候補番組が有るか否かを、番組表記憶部１２１に格納された電子番組表情報に基づいて判定するものである。
【００５８】
候補番組取得部１１７（候補番組取得手段に相当する）は、候補判定部１１６によって第１選択候補番組が有ると判定された場合に、第１選択候補番組に対応するチャンネル番号情報及び番組名称情報を番組表記憶部１２１に格納された電子番組表情報から取得するものである。
【００５９】
また、候補番組取得部１１７は、候補判定部１１６によって第２選択候補番組が有ると判定された場合に、第２選択候補番組に対応するチャンネル番号情報及び番組名称情報を番組表記憶部１２１に格納された電子番組表情報から取得するものである。
【００６０】
第２受付部１１８（第２受付手段の一部に相当する）は、候補判定部１１６によって第１選択候補番組及び第２選択候補番組の少なくとも一方が有ると判定された場合に、後述する図４（ｂ）に示す番組選択画面４１０及びリモコン２を介してユーザからの操作入力を受け付け、受け付けられた操作入力に基づいて、第１選択候補番組及び第２選択候補番組の中から１のチャンネルを表示チャンネルとして受け付けるものである。
【００６１】
表示制御部１１９（表示制御手段の一部に相当する）は、候補番組取得部１１７によって取得された第１選択候補番組及び第２選択候補番組のチャンネル番号情報及び番組名称情報を対応付けてディスプレイ１７３に表示する（図４（ｂ）参照）ものである。
【００６２】
また、表示制御部１１９は、候補判定部１１６によって第１選択候補番組及び第２選択候補番組が無いと判定された場合に、第１受付部１１３によって受け付けられた表示チャンネルに対応するテレビジョン放送において放送中の番組が無い旨の情報、及び、第１選択候補番組及び第２選択候補番組が無い旨の情報をディスプレイ１７３に表示するものである。
【００６３】
図４（ｂ）は、表示制御部１１９によってディスプレイ１７３に表示される番組選択画面の一例を示す画面図である。番組選択画面４１０には、画面上部に、ガイダンス表示部４１１が表示され、ガイダンス表示部４１１の下側に、候補番組表示部４１２が表示されている。また、番組選択画面４１０には、画面下部に、選択ボタン４１４、及び、キャンセルボタン４１５が表示されている。
【００６４】
ガイダンス表示部４１１は、ユーザに対して操作に関するガイダンス情報を表示するものであって、ここでは、ＯＳＤ（Ｏｎ−Ｓｃｒｅｅｎ  Ｄｉｓｐｌａｙ）等を介して、「選択されたチャンネルは、番組が放送されていません。視聴を所望する番組を選択してください。」との文字情報が表示されている。候補番組表示部４１２は、候補番組取得部１１７によって取得された第１選択候補番組及び第２選択候補番組にそれぞれ対応するチャンネル番号情報、番組名称情報、及び、ジャンル情報を選択可能に表示するものである。
【００６５】
候補番組表示部４１２に表示されている選択マーク４１３は、選択されているチャンネル番号情報等を示すマークである。ここでは、候補番組表示部４１２に表示されたチャンネル番号情報等内、チャンネル番号が「５１」に対応する位置に選択マーク４１３が表示され、チャンネル番号が「５１」が選択状態にある。
【００６６】
選択ボタン４１４は、選択マーク４１３が表示されているチャンネル番号（ここでは、「５１」）を表示チャンネルとして設定する場合に押下されるボタンである。キャンセルボタン４１５は、選択状態をキャンセルする場合に押下されるボタンである。ここで、「押下される」とは、例えば、図２に示すリモコン２に配設された方向キー２３によって選択状態とされ、決定キー２４が押下されることを意味している。
【００６７】
図６は、デジタル放送受信機１（主にＭＰＵ１１）の動作の一例を示すフローチャートである。なお、ここでは、便宜上、登録部１１２によって予めジャンル情報及び固有名詞情報が生成され、それぞれ、ジャンル記憶部１２２及び固有名詞記憶部１２３に格納されている場合について説明する。まず、第１受付部１１３によって、チャンネルを変更する操作（＝図２に示すチャンネル設定キー２２又はチャンネル変更キー２５の押下）が受け付けられたか否かの判定が行われる（Ｓ１０１）。
【００６８】
チャンネルを変更する操作が受け付けられていないと判定された場合（Ｓ１０１でＮＯ）には、処理が待機状態とされる。チャンネルを変更する操作が受け付けられたと判定された場合（Ｓ１０１でＹＥＳ）には、番組有無判定部１１４によって、ステップＳ１０１で受け付けられた表示チャンネルに対応するテレビジョン放送において、放送中の番組が有るか否かが判定される（Ｓ１０３）。放送中の番組が有ると判定された場合（Ｓ１０３でＹＥＳ）には、チャンネル変更部１１５によって、ステップＳ１０１で受け付けられた表示チャンネルに対応するテレビジョン放送が受信され、受信した映像情報がディスプレイ１７３に表示されて（Ｓ１０５）、処理が終了される。
【００６９】
放送中の番組が無いと判定された場合（Ｓ１０３でＮＯ）には、候補判定部１１６によって、第１選択候補番組又は第２選択候補番組が有るか否かの判定が行われる（Ｓ１０９）。第１選択候補番組及び第２選択候補番組が無いと判定された場合（Ｓ１０９でＮＯ）には、表示制御部１１９によって、ステップＳ１０１において受け付けられた表示チャンネルに対応するテレビジョン放送において放送中の番組が無い旨の情報、及び、第１選択候補番組及び第２選択候補番組が無い旨の情報がディスプレイ１７３に表示され（Ｓ１１１）、処理が終了される。
【００７０】
第１選択候補番組又は第２選択候補番組が有ると判定された場合（Ｓ１０９でＹＥＳ）には、候補番組取得部１１７によって、第１選択候補番組（又は第２選択候補番組）に対応するチャンネル番号情報及び番組名称情報が番組表記憶部１２１に格納された電子番組表情報から取得される（Ｓ１１３）。そして、表示制御部１１９によって、図４（ｂ）に示す番組選択画面４１０が表示される（Ｓ１１５）。次いで、第２受付部１１８によって、図４（ｂ）に示す番組選択画面４１０を介して、第１選択候補番組又は第２選択候補番組の中から１のチャンネルが表示チャンネルとして受け付けられたか否かの判定が行われる（Ｓ１１７）。表示チャンネルが受け付けられていないと判定された場合（Ｓ１１７でＮＯ）には、処理が待機状態とされる。表示チャンネルが受け付けられたと判定された場合（Ｓ１１７でＹＥＳ）には、チャンネル変更部１１５によって、ステップＳ１１７において受け付けられた表示チャンネルに対応するテレビジョン放送が受信され、受信された映像情報がディスプレイ１７３に表示されて（Ｓ１１９）、処理が終了される。
【００７１】
このようにして、受信部１４によって、予め設定された１のチャンネルのテレビジョン放送が受信され、受信部１４を介して電子番組表情報が取得され、取得された電子番組表情報が番組表記憶部１２１に格納される。また、リモコン２を介してユーザからの操作入力を受け付けられ、受け付けられた操作入力に基づいて、１のチャンネルが、映像情報をディスプレイ１７３に表示するチャンネルである表示チャンネルとして受け付けられる。そして、受け付けられた表示チャンネルに対応するテレビジョン放送において、放送中の番組が有るか否かが、番組表記憶部１２１に格納された電子番組表情報に基づいて判定される。
【００７２】
更に、ジャンル記憶部１２２に予めジャンル情報が格納されており、放送中の番組が無いと判定された場合に、ジャンル記憶部１２２に格納されたジャンル情報と同一のジャンル情報を有し、且つ、放送中の番組である第１選択候補番組が有るか否かが、番組表記憶部１２１に格納された電子番組表情報に基づいて判定され、第１選択候補番組が有ると判定された場合に、第１選択候補番組に対応するチャンネル番号情報が番組表記憶部１２１に格納された電子番組表情報から取得され、取得された第１選択候補番組のチャンネル番号情報がディスプレイ１７３に表示されるため、番組が放送されているチャンネルが少ない場合にも効率的に選局することができる。
【００７３】
すなわち、リモコン２を介してユーザから受け付けられた操作入力に基づいて受け付けられたディスプレイ１７３に表示するチャンネルである表示チャンネルに対応するテレビジョン放送において、放送中の番組が無いと判定された場合に、ジャンル記憶部１２２に格納されたジャンル情報と同一のジャンル情報を有し、且つ、放送中の番組である第１選択候補番組が有るか否かが判定され、第１選択候補番組が有ると判定された場合に、第１選択候補番組に対応するチャンネル番号情報がディスプレイ１７３に表示されるため、予めユーザが視聴を所望するジャンル情報を設定することによって、視聴を所望するジャンル情報と同一のジャンル情報を有し、且つ、放送中の番組である第１選択候補番組に対応するチャンネル番号情報をディスプレイ１７３に表示させることができるので、番組が放送されているチャンネルが少ない場合にも効率的に選局することができるのである。
【００７４】
また、予め人物の氏名情報、及び、団体の名称情報の少なくとも一方を含む固有名詞情報が固有名詞記憶部１２３に格納されており、放送中の番組が無いと判定された場合に、固有名詞記憶部１２３に格納された固有名詞情報と同一の固有名詞情報を番組情報として含み、且つ、放送中の番組である第２選択候補番組が有るか否かが、番組表記憶部１２１に格納された電子番組表情報に基づいて判定される。そして、第２選択候補番組が有ると判定された場合に、第２選択候補番組に対応するチャンネル番号情報が番組表記憶部１２１に格納された電子番組表情報から取得され、取得された第２選択候補番組のチャンネル番号情報がディスプレイ１７３に表示されるため、番組が放送されているチャンネルが少ない場合にも更に効率的に選局することができる。
【００７５】
すなわち、リモコン２を介してユーザから受け付けられた操作入力に基づいて受け付けられたディスプレイ１７３に表示するチャンネルである表示チャンネルに対応するテレビジョン放送において、放送中の番組が無いと判定された場合に、固有名詞記憶部１２３に格納された固有名詞情報と同一の固有名詞情報を番組情報として含み、且つ、放送中の番組である第２選択候補番組が有るか否かが判定され、第２選択候補番組が有ると判定された場合に、第２選択候補番組に対応するチャンネル番号情報がディスプレイ１７３に表示されるため、予めユーザが視聴を所望する番組に係る固有名詞情報（＝人物の氏名情報、団体の名称情報等）を設定することによって、視聴を所望する番組に係る固有名詞情報と同一の固有名詞情報を番組情報として含み、且つ、放送中の番組である第２選択候補番組に対応するチャンネル番号情報をディスプレイ１７３に表示させることができるので、番組が放送されているチャンネルが少ない場合にも更に効率的に選局することができるのである。
【００７６】
更に、第１選択候補番組が有ると判定された場合に、第１選択候補番組に対応する番組名称情報が番組表記憶部１２１に格納された電子番組表情報から取得されると共に、第２選択候補番組が有ると判定された場合に、第２選択候補番組に対応する番組名称情報が番組表記憶部１２１に格納された電子番組表情報から取得され、取得された第１選択候補番組及び第２選択候補番組の番組名称情報が、チャンネル番号情報と対応付けてディスプレイ１７３に表示されるため、ユーザは、第１選択候補番組及び第２選択候補番組の内容を番組名称情報から判断することができるので、番組が放送されているチャンネルが少ない場合にも更に効率的に選局することができる。
【００７７】
加えて、リモコン２を介してユーザからの操作入力が受け付けられ、受け付けられた操作入力に基づいて、ジャンル情報及び固有名詞情報が生成され、生成されたジャンル情報及び固有名詞情報がそれぞれジャンル記憶部１２２及び固有名詞記憶部１２３に記録されるため、ユーザは、視聴を所望する番組のジャンル情報及び視聴を所望する番組に係る固有名詞情報を設定することができるので、番組が放送されているチャンネルが少ない場合にも更に効率的に選局することができる。
【００７８】
また、放送中の番組が有ると判定された場合に、受信部１４を介して表示チャンネルに対応するテレビジョン放送が受信され、受信され映像情報がディスプレイ１７３に表示される。一方、放送中の番組が無いと判定された場合には、受信部１４を介して受信するテレビジョン放送が変更されないため、放送中の番組が無いチャンネルに切り換えることに伴う不要な処理を省略することができるので、番組が放送されているチャンネルが少ない場合にも更に効率的に選局することができる。
【００７９】
更に、第１選択候補番組及び第２選択候補番組の少なくとも一方が有ると判定された場合に、リモコン２を介してユーザからの操作入力が受け付けられ、受け付けられた操作入力に基づいて、第１選択候補番組及び第２選択候補番組の中から１のチャンネルが表示チャンネルとして受け付けられる。そして、受け付けられた表示チャンネルに対応するテレビジョン放送が受信され、受信した映像情報がディスプレイ１７３に表示されるため、番組が放送されているチャンネルが少ない場合にも更に効率的に選局することができる。
【００８０】
すなわち、リモコン２を介してユーザからの操作入力が受け付けられ、受け付けられた操作入力に基づいて、第１選択候補番組及び第２選択候補番組の中から１のチャンネルが表示チャンネルとして受け付けられ、受け付けられた表示チャンネルに対応するテレビジョン放送が受信され、受信した映像情報がディスプレイ１７３に表示されるため、ユーザが視聴を所望する番組を、第１選択候補番組及び第２選択候補番組の中から選択することができるので、番組が放送されているチャンネルが少ない場合にも更に効率的に選局することができるのである。
【００８１】
なお、本発明は、以下の形態にも適用可能である。
（Ａ）本実施形態では、デジタル放送受信装置が、デジタル放送を受信するデジタル放送受信機１である場合について説明したが、デジタル放送受信装置が、デジタル放送及びアナログ放送を受信する形態でもよい。
【００８２】
（Ｂ）本実施形態では、ＭＰＵ１１が、番組表取得部１１１、登録部１１２、第１受付部１１３、番組有無判定部１１４、チャンネル変更部１１５、候補判定部１１６、候補番組取得部１１７、第２受付部１１８、表示制御部１１９等の機能部を備える場合について説明したが、番組表取得部１１１、登録部１１２、第１受付部１１３、番組有無判定部１１４、チャンネル変更部１１５、候補判定部１１６、候補番組取得部１１７、第２受付部１１８、及び、表示制御部１１９の内、少なくとも１の機能部が、回路等のハードウェアによって実現されている形態でもよい。
【００８３】
（Ｃ）本実施形態では、登録部１１２が、ジャンル情報及び固有名詞情報を生成し、生成されたジャンル情報及び固有名詞情報をそれぞれジャンル記憶部１２２及び固有名詞記憶部１２３に記録する場合について説明したが、登録部１１２が、ジャンル情報及び固有名詞情報の少なくとも一方を生成し、ジャンル記憶部１２２及び固有名詞記憶部１２３に記録する形態であればよい。
【００８４】
（Ｄ）本実施形態では、第２受付部１１８が、図４（ｂ）に示す番組選択画面４１０を介して表示チャンネルを受け付ける場合について説明したが、第２受付部１１８が、図２に示すリモコン２に配設されたチャンネル設定キー２２又はチャンネル変更キー２５等を介して表示チャンネルを受け付ける形態でもよい。
【図面の簡単な説明】
【００８５】
【図１】は、本発明に係るデジタル放送受信機の構成の一例を示すブロック図である。
【図２】は、リモコンの一例を示す正面図である。
【図３】は、本発明に係るデジタル放送受信機における主要部の構成の一例を示すブロック図である。
【図４】は、登録部によってディスプレイに表示されるジャンル登録画面の一例を示す画面図、及び、表示制御部によってディスプレイに表示される番組選択画面の一例を示す画面図である。
【図５】は、番組表記憶部に格納された電子番組表情報の一例を示す図表である。
【図６】は、デジタル放送受信機（主にＭＰＵ）の動作の一例を示すフローチャートである。
【符号の説明】
【００８６】
１    デジタル放送受信機（デジタル放送受信装置）
１１    ＭＰＵ
１１１    番組表取得部（番組表取得手段）
１１２    登録部（登録手段の一部）
１１３    第１受付部（第１受付手段の一部）
１１４    番組有無判定部（番組有無判定手段）
１１５    チャンネル変更部（チャンネル変更手段）
１１６    候補判定部（候補判定手段）
１１７    候補番組取得部（候補番組取得手段）
１１８    第２受付部（第２受付手段の一部）
１１９    表示制御部（表示制御手段の一部）
１２    ＲＡＭ
１２１    番組表記憶部（番組表記憶手段）
１２２    ジャンル記憶部（ジャンル記憶手段）
１２３    固有名詞記憶部（固有名詞記憶手段）
１４    受信部（受信手段）
１７    画像出力部
１７３    ディスプレイ（モニタ）
２    リモコン（登録手段の一部、第１受付手段の一部、第２受付手段の一部、及び、表示制御手段の一部）
【図１】
2009044555.tif 000003
【図２】
2009044555.tif 000004
【図３】
2009044555.tif 000005
【図４】
2009044555.tif 000006
【図５】
2009044555.tif 000007
【図６】
2009044555.tif 000008